(57)【要約】【課題】階段の側方に配置されて、手摺が取り付けられる階段用手摺壁を容易に形成可能なものにすること。【解決手段】階段２の側方に設けられるとともに階段用の手摺４が固定される階段用手摺壁１において、階段２に沿って互いに所定間隔開けて、それぞれ上下方向に延在して配置される複数の支持桟材９Ｂ，９Ｃと、複数の縦部材９Ｂ，９Ｃの階段側の面に取り付けられ、表面に手摺４が取り付けられる面状耐火材８とを備える。複数の縦部材９Ｂ，９Ｃのそれぞれの面材側の面に、面状耐火材８側に開口するとともに両側方に連通して切欠部９１，９１が形成され、複数の縦部材９Ｂ，９Ｃの切欠部９１，９１内に、面材８の表面側から取り付けられるべき手摺４を止着可能な長尺の下地合板３Ａを、面材８の裏面側に配置され且つ複数の縦部材９Ｂ，９Ｃに渡って設けた。【選択図】        図１
2004169422.tif 000002
【特許請求の範囲】
【請求項１】
階段の側方に設けられるとともに階段用の手摺が固定される階段用手摺壁において、
前記階段に沿って互いに所定間隔開けて、それぞれ上下方向に延在して配置される複数の縦部材と、
前記複数の縦部材の前記階段側の面に取り付けられ、表面に手摺が取り付けられる面材とを備え、
前記複数の縦部材のそれぞれの面材側の面に、面材側に開口するとともに両側方に連通して切欠部が形成され、
前記複数の縦部材の切欠部内には、前記面材の表面側から取り付けられるべき手摺を止着可能な長尺の下地材が、面材の裏面側に配置され且つ前記複数の縦部材に渡って設けられていることを特徴とする階段用手摺壁。
【請求項２】
前記切欠部の上下長さは、内部に設けられる下地材の幅よりも大きいことを特徴とする請求項１記載の階段用手摺壁。
【請求項３】
階段が配置される床上に立設される矩形板状の壁本体部を備え、
前記複数の縦部材は、それぞれ壁本体部の上端部に立設されるとともに、
前記複数の縦部材のそれぞれの上端部には、上面が階段勾配に対応した勾配面となる勾配部が架設され、
前記切欠部は、前記複数の縦部材のそれぞれに、上端部から一定の間隔を開けた箇所に形成されていることを特徴とする請求項１または２記載の階段用手摺壁。
【請求項４】
壁本体部の一側端部から上方に立ち上がる立ち上がり部が設けられ、
この立ち上がり部の先端部には前記勾配部が、前記壁本体部の一側端部側から他側端部方向に向かって傾斜するように接続され、
これら立ち上がり部と勾配部は、下方に開口する断面コ字状の長尺材を折曲することで形成されてなり、
前記縦部材の上端部は、前記勾配部に内嵌した状態で固定され、
前記面材は、前記縦部材及び前記下地材とともに前記立ち上がり部及び前記勾配部を覆うように設けられていることを特徴とする請求項３記載の階段用手摺壁。
【請求項５】
立ち上がり部は、その下端部のコ字状内に前記壁本体部の一側端部を外嵌することで前記壁本体部に固定されるとともに内部に、前記立ち上がり部を補強する補強芯材が前記壁本体部の上面に立設された状態で内嵌されていることを特徴とする請求項４記載の階段用手摺壁。
【請求項６】
補強芯材には、面材側の面に、面材側及び前記壁体の他端部方向に開口する切欠部が形成され、
この切欠部には、前記下地材の一端部が、前記立ち上がり部のコ字状内で、且つ前記壁本体部の上面に当接した状態で設けられていることを特徴とする請求項５記載の階段用手摺壁。
【発明の詳細な説明】
【０００１】
【発明の属する技術分野】
本発明は、階段の側方に配置されて手摺が取り付けられる階段用手摺壁に関する。
【０００２】
【背景の技術】
従来、壁、床、屋根等を木製の壁パネル、床パネル、屋根パネル等を組み付けることにより構築してプレハブ家屋を建築する木質パネル工法がある。なお、木質パネルの構成として例えば、壁パネルは、縦横の框材を矩形枠状に組むことで枠体を構成し、この枠体内に縦横の桟材を設けるとともに、枠体の表裏面に合板を設けることで形成する。
そして、家屋の界壁、内壁、仕切り壁等となる壁パネルには、石膏ボード製面材が取り付けられる。前記石膏ボードは、焼石膏、おが屑、パーライト等を原料として板状に成形され、両面にボード用原紙が張られたものである。
【０００３】
上記木質パネル工法により階段を備えた家屋を構築する際には、壁パネルを立設することにより区画された階段室内に、予め工場等で階段部分や踊り場部分をユニットとして形成し、このユニットを現場で組み付けることでなる。
このように構築された階段の側方に配置される壁パネルに昇降用の手摺を設ける場合は、壁パネルの表面に石膏ボードを貼設することで手摺壁とし、前記壁パネル内において、壁パネルの表面側に取り付けられる手摺の位置に対応させて、縦框材や縦桟材の間に埋木を設け、この位置に、壁パネルに貼設された石膏ボードの表面側から、手摺が取り付けられるブラケットなどを釘やビスなどの止着材により止着して、手摺を支持するようにしている（例えば、特許文献１参照。）。
【０００４】
【特許文献１】
特開平１０−２９９２０８号公報
【０００５】
【発明が解決しようとする課題】
ところで、従来の壁パネルの構成の場合（特許文献１）では、階段の側方に配置される壁パネル（以下、手摺壁パネルという）において、手摺のブラケットが取り付けられる位置に対応させて設けられる埋木は、表面の合板間に配置されるように縦框材、縦桟材間に予め設ける必要があるので、例えば、上記壁パネルのように、手摺壁パネル内に縦桟材が縦框材と平行に１つ配置されている場合には、左右の縦框材と縦桟材との間にそれぞれ埋木を配置する必要があるとともに、埋木それぞれの取り付け位置を、手摺壁パネルに取り付けられるべき手摺の位置に対応させた位置とする必要があり、施工の手間がかかるという問題があった。本発明の課題は、階段の側方に配置されて、手摺が取り付けられる階段用手摺壁を容易に形成可能なものにすることである。
【０００６】
【課題を解決するための手段】
以上の課題を解決するため、請求項１記載の発明は、例えば図１に示すように、
階段（例えば直階段２）の側方に設けられるとともに階段用の手摺４が固定される階段用手摺壁１において、
前記階段２に沿って互いに所定間隔開けて、それぞれ上下方向に延在して配置される複数の縦部材（例えば支持桟材９Ｂ，９Ｃ）と、
前記複数の縦部材９Ｂ，９Ｃの前記階段側の面に取り付けられ、表面に手摺４が取り付けられる面材（例えば面状耐火材８）とを備え、
前記複数の縦部材９Ｂ，９Ｃのそれぞれの面材側の面に、面材側に開口するとともに両側方に連通して切欠部９１，９１が形成され、
前記複数の縦部材９Ｂ，９Ｃの切欠部９１，９１内には、前記面材８の表面側から取り付けられるべき手摺４を止着可能な長尺の下地材（例えば下地合板３Ａ）が、面材８の裏面側に配置され且つ前記複数の縦部材９Ｂ，９Ｃに渡って設けられていることを特徴とする。
【０００７】
請求項１記載の発明によれば、表面に手摺４が取り付けられる面材８を介して止着可能な前記下地材３Ａが、前記面材８の裏面側に取り付けられた複数の縦部材９Ｂ，９Ｃの切欠部９１，９１内に、前記複数の縦部材９Ｂ，９Ｃ間に渡って配置されているので、所定間隔開けて配置された前記複数の縦部材９Ｂ，９Ｃに面材８を取り付ける前に、それぞれの切欠部９１，９１内に前記下地材３Ａを取り付けるだけで、手摺４が取り付け可能なものとして容易に形成される。
【０００８】
請求項２記載の発明は、請求項１記載の階段用手摺壁において、例えば、図４に示すように、
前記切欠部９１の上下長さＬは、内部に設けられる下地材の幅Ｗよりも大きいことを特徴とする。
【０００９】
請求項２記載の発明によれば、前記長尺の下地材３Ａが内部に設けられる切欠部９１の上下長さＬが、前記下地材３Ａの幅Ｗよりも大きいので、前記切欠部９１内にて前記下地材３Ａの延在方向を調節して所定の方向に延在するように設けることができる。
従って、前記下地材３Ａを前記切欠部内に、階段勾配に対応させた角度で、すなわち階段勾配と略平行な方向に延在させた状態で、前記面材の裏面側で前記複数の縦部材間に渡って設けることができ、これにより、手摺４、特に連続手摺を階段の勾配に対応して前記面材を介して前記下地材３Ａに止着して取り付けることができる。
【００１０】
請求項３記載の発明は、請求項１または２記載の階段用手摺壁において、図１または図２に示すように、
階段２が配置される床上に立設される矩形板状の壁本体部（例えば、壁パネル５１）を備え、
前記複数の縦部材９Ｂ，９Ｃは、それぞれ壁本体部５１の上端部に立設されるとともに、
前記複数の縦部材９Ｂ、９Ｃのそれぞれの上端部には、上面が階段勾配に対応した勾配面となる勾配部７２が架設され、
前記切欠部９１，９１は、前記複数の縦部材９Ｂ，９Ｃのそれぞれに、上端部から一定の間隔を開けた箇所に形成されていることを特徴とする。
【００１１】
請求項３記載の発明によれば、前記壁本体部５１の上端部に立設された前記複数の縦部材９Ｂ，９Ｃのそれぞれの上端部には、階段勾配に対応した勾配面を有する勾配部７２が架設され、これら複数の縦部材９Ｂ，９Ｃのそれぞれに、上端部から一定の間隔を開けた箇所に切欠部９１，９１が形成されているので、切欠部９１，９１は、前記勾配部の勾配面と略平行な線状に並べられた状態となり、これら切欠部９１，９１内に下地材３Ａを前記複数の縦部材９Ｂ，９Ｃに渡って設けた際に、前記下地材３Ａの延在方向を、前記勾配部の勾配方向と略平行な方向とすることができ、これにより面材を介して止着される手摺を前記勾配部の勾配と略平行な方向に延在するように取り付けることができる。
【００１２】
請求項４記載の発明は、請求項３記載の階段用手摺壁において、例えば図１及び図２に示すように、
壁本体部５１の一側端部５１ａから上方に立ち上がる立ち上がり部７１が設けられ、
この立ち上がり部７１の先端部には前記勾配部７２が、前記壁本体部５１の一側端部５１ａ側から他側端部５１ｂ方向に向かって傾斜するように接続され、
これら立ち上がり部７１と勾配部７２は、下方に開口する断面コ字状の長尺材（例えばフレーム７）を折曲することで形成されてなり、
前記縦部材９Ｂ，９Ｃの上端部は、前記勾配部７２に内嵌した状態で固定され、
前記面材８は、前記縦部材９Ｂ，９Ｃ及び前記下地材３Ａとともに前記立ち上がり部７１及び前記勾配部７２を覆うように設けられていることを特徴とする。
【００１３】
請求項４記載の発明によれば、壁本体部５１の一側端部５１ａから上方に立ち上がる立ち上がり部７１と前記勾配部７２とが下方に開口する断面コ字状の長尺材（例えばフレーム７）を折曲することで形成されてなり、前記縦部材９Ｂ，９Ｃの上端部は、前記勾配部７２に内嵌した状態で固定され、前記面材８が、前記縦部材９Ｂ，９Ｃ及び前記下地材３Ａとともに前記立ち上がり部７１及び前記勾配部７２を覆うように設けられているので、前記長尺材７を折曲することで前記立ち上がり部７１に対する勾配部７２の折曲度合いを変化させ、勾配部７２の上面を所定の勾配に対応した勾配、つまり側方に配置される階段の勾配と略平行にして、縦部材９Ｂ，９Ｃを介して壁本体部５１に支持させることができる。従って、長尺材７を階段の勾配に合わせて折曲させて、壁本体部５１に取り付けるだけで、どのような勾配を有する階段の側方に設けられても、該階段の勾配に対応した勾配、つまり階段の勾配と略平行な勾配面を有するものとして容易に構築されるものとなる。
【００１４】
請求項５記載の発明は、請求項４記載の階段用手摺壁において、例えば図１及び図２に示すように、
立ち上がり部７１は、その下端部７１ａのコ字状内に前記壁本体部５１の一側端部５１ａを外嵌することで前記壁本体部５１に固定されるとともに内部に、前記立ち上がり部７１を補強する補強芯材（例えば支持桟材９Ａ）が前記壁本体部５１の上面に立設された状態で内嵌されていることを特徴とする。
【００１５】
請求項５記載の発明によれば、下端部７１ａのコ字状内に前記壁本体部５１の一側端部５１ａを外嵌することで前記立ち上がり部７１は前記壁本体部５１に固定されるとともに、立ち上がり部７１の内部には、前記立ち上がり部７１を補強する補強芯材９Ａが前記壁本体部５１の上面に立設された状態で内嵌されているので、前記勾配部７２が接続された前記立ち上がり部７１の前記壁本体部５１の上面から上方に立ち上がる部分において前記補強芯材９Ａにより補強された状態となり、階段用手摺壁自体において前記壁本体部５１の上部分の強度を向上させることができる。
【００１６】
請求項６記載の発明は、請求項５記載の階段用手摺壁において、例えば図２に示すように、
補強芯材９Ａには、面材側の面に、面材側及び前記壁体の他端部方向に開口する切欠部９１Ａが形成され、
この切欠部９１Ａには、前記下地材３Ａの一端部が、前記立ち上がり部７１のコ字状内で、且つ前記壁本体部５１の上面に当接した状態で設けられていることを特徴とする。
【００１７】
請求項６記載の発明によれば、前記補強芯材９Ａの切欠部９１Ａには、前記下地材３Ａの一端部が、前記立ち上がり部７１のコ字状内で、且つ前記壁本体部５１の上面に当接した状態で設けられているので、前記壁本体部５１の上方において前記縦部材９Ｂ，９Ｃの切欠部９１，９１内に設けられた前記下地材３Ａの一端部を納めることができる。これにより、前記立ち上がり部７１近傍においても、該立ち上がり部近傍に配置される前記下地材３Ａの一端部近傍の部位に、前記面材８の表面側から取り付けられる手摺４を止着することができる。
【００１８】
【発明の実施の形態】
以下、図を参照して本発明の実施の形態を詳細に説明する。
まず、構成を説明する。
図１に示す階段用手摺壁１は、直階段２の側方に、該直階段２に沿って階段２の側部に接合されており、階段側の面には、手摺４が取り付けられている。
【００１９】
階段用手摺壁１は、直階段２の側方に接続された壁本体５と、壁本体５の上端部に接続され、壁本体５が接続された直階段２部分の踏み面より該踏み面の側方で上方に位置するとともに、階段勾配と略平行な勾配面６１を有する勾配壁部６と、これら壁本体５の階段より上方部分及び勾配壁部６の階段２に面する部分に設けられた面状耐火材８とを備える。なお、上記勾配壁部６と壁本体５とは、基本的に別体のもので、建築現場で壁本体５の上部に勾配壁部６を構築することで一体に接合している。つまり、下階の床から上階の下部に至る上下に長尺な階段用手摺壁１を上下二つに分割した状態とすることにより、その搬送や建築中の住宅内での取り扱いを容易なものとしている。また、面状耐火材８は例えば、焼石膏、おが屑、パーライト等を原料として板状に成形され、両面にボード用原紙が張られた石膏ボード等からなる。
【００２０】
そして、階段用手摺壁１の壁本体５は、それぞれ高さの異なる矩形状の壁パネル５１，５２、５３，５４を直階段２の上方に向かって段々と高くなるように一体に接合することにより構成され、壁本体５の上端面には、それぞれ隣接する壁パネル５１〜５４どうしで、それぞれ段差部５ａ，５ｂ，５ｃが形成されている。
【００２１】
また、勾配壁部６は、壁本体５、詳細には壁パネル５１の側端部５１ａの上端部に固定され、該上端部から上方に立ち上がる立ち上がり部７１、立ち上がり部７１の上端に接続され、壁本体５の一側端部５１ａから他側端部５４ｂ側に向かって上方に傾斜する勾配部７２、勾配部７２の上端に接続され、略水平に延在する水平部７３を構成するフレーム７と、このフレーム７と壁本体５との間に設けられ、壁本体５上でフレーム７を支持するとともに、面状耐火材８の裏面に取り付けられて面状耐火材８を支持する複数の支持桟材（縦部材）９（９Ｂ〜９Ｋ）と、面状耐火材８の裏面に取り付けられ、面状耐火材８の表面に取り付けられた手摺４を止着部材により面状耐火材８を介して止着して支持する下地合板３（３Ａ、３Ｂ）等とを備える。
【００２２】
フレーム７は、図１及び図２に示すように断面コ字状の長尺の鋼製ランナーからなり、フレーム表面を構成する上板７ｂの両側縁から該上板７ｂに沿って延在するとともに上板７ｂ（図２参照）に対して鉛直下方に突出し且つ互いに対向する側板７ａ，７ａが形成され、所定の箇所で折曲されることで、立ち上がり部７１、勾配部７２及び水平部７３が形成されている。
【００２３】
フレーム７の折曲部分には、対向する両側板７ａ，７ａに、先端から上板７ｂに至り、互いに対向し且つ上板７ｂに対して直交するように切り込み部が形成され、これら切り込み部の先端どうしを結ぶ上板７ｂ部分を折曲することで、立ち上がり部７１、勾配部７２及び水平部７３となる。なお、フレーム７のコ字状を形成する対向する側板７ａ，７ａ間の長さ、つまり上板７ｂの幅は、壁本体５の厚みと略同様の長さとなっている。これにより、フレーム７は、壁本体５とその側端部５１ａで嵌合可能となっており、固定される前では側端部５１ａに嵌合し且つ側端部５１ａに沿ってスライド可能な形状となっている。
【００２４】
立ち上がり部７１は、下端部７１ａを、壁本体５の側端部５１ａの上部に嵌合して釘打ちすることで固定され、その表面部分、つまり立ち上がり部７１の有する底板の表面は、壁本体５の側端面と略面一となっている。なお、この立ち上がり部７１の両側板７ａ，７ａには、壁本体５の側端部５１ａに取り付ける際に、側端部５１ａ上縁に対応させる墨出しがマークされていれば、その取り付けが容易となる。
勾配部７２は、その勾配が階段の勾配と略平行となるように、立ち上がり部７１に対して折曲され、立ち上がり部７１側の下端部から上端部側に向かって上方に傾斜するように延在している。そして、この勾配部７２は、勾配部７２と壁本体５の上端面との間に鉛直方向に介設された複数の支持桟材９を介して壁本体５に支持されている。
【００２５】
水平部７３は、一端部で勾配部７２の上端部に接続されており、他端部は、上階床部２５の上部に、表裏面が階段用手摺壁１の表裏面と略面一となるように立設された腰壁２６の上端部２６ａに固定されている。水平部７３の他端部の腰壁２６への固定は、水平部７３を構成する側板間に腰壁２６の上端部２６ａを嵌合し、側板の側方から全ネジのビスなどの止着部材をねじ込むことで止着することで行われている。なお、水平部７３の先端部の両側板に、腰壁２６の上端部の階段用手摺壁１側の縁部、つまり、側端面２６ｂの上縁に合わせるための墨出しをマークしてもよい。また、腰壁２６の側端面２６ｂは上階床部２５の端面２５ｂと面一になっている。
【００２６】
支持桟材（縦部材）９（９Ｂ〜９Ｋ）は、それぞれ勾配部７２と壁本体５の上端面との間で、上下方向に延在して配置される長さを有する、長尺の角柱状のものである。
支持桟材９Ｂ〜９Ｋのそれぞれは、前記壁本体５の上端面の所定の箇所で、下端面を壁本体５の上端面に突き合わせた状態で釘及び接着材などにより固定されているとともに、上端部を勾配部７２を構成する側板７ａ間に嵌合して、側板の側方から全ネジのビスなどの止着部材をねじ込むことにより勾配部７２に止着されている。
【００２７】
詳細には、支持桟材９Ｂ，９Ｃは、支持桟材９Ａとともに壁パネル５１の上面に立設されており、支持桟材９Ｃは壁パネル５１の上面に固定されているとともにその下端部で、壁パネル５１と段差部５ａを形成する壁パネル５２の側端面に当接して固定されている。また、支持桟材９Ｄ，９Ｅ，９Ｆは、壁パネル５２の上端面に一側端部５１ａ側から他側端部５４ｂ側に向かって並べて立設されている。特に、支持桟材９Ｄは支持桟材９Ｃの上端部に重ね合わせて接合され、支持桟材９Ｆは、その下端部で壁パネル５２と段差部５ｂを形成する壁パネル５３の側端面に当接して固定されている。支持桟材９Ｇ，９Ｈは、壁パネル５３上面の両端にそれぞれ設けられ、支持桟材９Ｇは、支持桟材９Ｆの上端部に重ね合わせて接合され、支持桟材９Ｈは、その下端部で壁パネル５３と段差部５ｃを形成する壁パネル５４の側端面に当接して固定されている。
支持桟材９Ｉ，９Ｊ，９Ｋは、壁パネル５４の上端面に一側端部５１ａ側から他側端部５４ｂ側に向かって並べて立設されている。特に、支持桟材９Ｉは支持桟材９Ｈの上端部に重ね合わせて接合され、支持桟材９Ｋは腰壁２６の側端面２６ｂに当接した状態で固定されている。
【００２８】
また、支持桟材９（９Ｂ〜９Ｋ）には、面状耐火材８が取り付けられた面側からかき込んで形成され、内部に下地合板３（３Ａ，３Ｂ）が配置された切欠部９１がそれぞれ形成されている。
切欠部９１は、それぞれの支持桟材９（９Ｂ〜９Ｋ）において上端から所定間隔開けた位置に形成されている。
【００２９】
そのうち支持桟材９Ｂ，９Ｃ，９Ｅ〜９Ｋにおける切欠部９１の上下長さＬは下地合板３（３Ａ，３Ｂ）の幅Ｗよりも長いものとなっているとともに、その深さは下地合板３（３Ａ，３Ｂ）の厚みと略同じ長さとなるように形成されてなる。つまり、切欠部９１に内嵌された下地合板３（３Ａ，３Ｂ）の表面３ａは、支持桟材９の階段側の面と略面一となっている。なお、これら支持桟材９Ｂ，９Ｃ，９Ｅ〜９Ｋにおける切欠部９１の上下長さＬは、下地合板３（３Ａ，３Ｂ）の幅の約２倍程度の長さであることが好ましい。例えば下地合板３の幅Ｗが約１５０ｍｍとすると、切欠部の上下長さＬを２８９ｍｍ等とする構成が挙げられる。また、支持桟材９Ｄにおける切欠部９１は下地合板３Ｂの先端部が挿入され、この先端部が挿入可能な上下長さと、その深さを下地合板３（３Ａ，３Ｂ）の厚みと略同じ長さとなるように形成されている。これにより、面状耐火材８は、その裏面で支持桟材９（９Ｂ〜９Ｋ）とともに下地合板３（３Ａ，３Ｂ）に密着して取り付けられている。
【００３０】
これら支持桟材９Ｂ〜９Ｋは、図３に示すように、それぞれ長さが異なるとともに、それぞれの上端部から一定間隔開けた箇所に切欠部９１が形成された３種類の長さの平板状の桟材９Ｌ，９Ｍ，９Ｎを予め用意し、現場にて、これらを、それぞれの切欠部９１の下方部分を切断することで、壁パネル５１〜５４上端面から勾配部７２までの長さに対応させることでなる。
また、支持桟材９とほぼ同様に形成され、階段用手摺壁１の最も下端側に配置される支持桟材（補強芯材）９Ａは、図２に示すように、立ち上がり部７１内に内嵌され状態で、壁パネル５１の側端面に沿って、該壁パネル５１の上端面に鉛直に立設されている。
この支持桟材９Ａの高さは立ち上がり部７１の壁パネル５１の上方に延出する長さに対応しており、上端部が立ち上がり部７１と勾配部７２との折曲部分に位置している。これにより立ち上がり部７１は補強された状態となっている。
【００３１】
下地合板３Ａ，３Ｂは、それぞれ長尺の板材からなり、複数の支持桟材９Ａ〜９Ｋ間に渡って取り付けられ、その表面３ａには面状耐火材８の裏面が密着した状態で取り付けられている。
下地合板３Ａは、支持桟材９Ｂ、９Ｃの切欠部９１，９１内に設けられているとともに、その下端部は、壁パネル５１の上端面に当接され、上端部は壁パネル５２の上部側面に当接されている。
【００３２】
この下地合板３Ａの下端部は、図２に示すように、断面コ字状の立ち上がり部７１の内側で、支持桟材９Ａに形成された切欠部９１内に固定されているとともに、壁パネル５１の上端面に取り付けられた端材８４の略鉛直面となっている側面８４ａに固定されている。この端材８４は、支持桟材９を所定の長さに切断した際に形成されるもの等が挙げられ、下地合板３Ａの野縁としての機能を有している。また、下地合板３Ｂは、支持桟材９Ｄ〜９Ｋの切欠部９１…内に設けられ、その下端部は、壁パネル５２の上端面に当接されるとともに、上端部は壁パネル５４の上部側面に当接されている。
【００３３】
これら下地合板３Ａ，３Ｂは、それぞれが配置された切欠部９１内において、その延在する方向を調節可能となっている。つまり、支持桟材９Ｂ、９Ｃの切欠部９１…の上下長さＬが下地合板３Ａの幅Ｗより大きいことから、下地合板３Ａは、支持桟材９Ｂ，９Ｃの切欠部９１…内において、勾配角度を可変可能に取り付けられたものとなっている。また、支持桟材９Ｄ〜９Ｋの切欠部９１…の上下長さＬが下地合板３Ｂの幅Ｗより大きいことから、下地合板３Ａは、支持桟材９Ｄ〜９Ｋの切欠部９１…内において勾配角度を可変可能に取り付けられたものとなっている。よって、これら下地合板３Ａ，３Ｂは、支持桟材９Ｂ〜９Ｋに、表面側に設けられる階段２の階段勾配に対応させて、階段勾配と略平行となるように取り付け可能となっている。
【００３４】
図４では、この勾配壁部６の上端面の勾配に対応させて取り付けられる下地合板３の一例を示す。図４では、上端面Ｋ１，Ｋ２に対応させて取り付けられた下地板を、それぞれＳ１，Ｓ２で示している。なお、Ｔ１，Ｔ２はそれぞれの下地板に止着される手摺４のブラケットの上端が位置する線である。
このように下地合板３は面状耐火材８の裏面にて支持桟材９に取り付けられているので、階段用手摺壁１に取り付けられる手摺４の取り付け位置を、階段２の階段勾配とほぼ平行となるように形成された勾配壁部上端面に対応させて、階段勾配と略平行に取り付けることができる。
【００３５】
次に施工方法を説明する。
まず、パネル工法によりなる下階床部２７上に、直階段２の一方の側部に直階段２に沿って壁パネル５１〜５４を立設し、これを接続することで壁本体５を設置する（図５参照）。なお、図５では、パネル工法により予め下階床部２７と、下階床部２７から上方に所定間隔開けて設けられた上階床部２５とが形成されており、壁本体５は、下階床部２７上に上階床部２５の端部に直交して接続されるように立設される。なお、この階段２の他方の側部には、図示しない建物の外壁が設けられている。また、上階床部２５上には、表裏面が壁本体５の表裏面と略面一となるように、且つ側端面２６ｂが上階床部２５の端面２５ｂと略面一となるように腰壁２６を立設する。
【００３６】
次いで、長尺のフレーム７を折曲することで、直階段２の階段勾配と略平行になる勾配部７２、立ち上がり部７１及び水平部７３を形成する。
そして、図６に示すように、壁本体５の一側端部５１ａ、詳細には壁パネル５１の一側端側の上部と腰壁２６の側端面２６ｂ側の上端部２６ａとに嵌合した状態で取り付け、直階段２の一側部の上方で壁本体５の一端部から上階床部２５上の腰壁２６に架け渡す。
【００３７】
ここで、壁本体５から上階床部２５上の腰壁２６に架設されるフレーム７の取付方法を詳細に説明する。
この実施の形態におけるフレーム７は現場に所定の長さの長尺な部材として搬入されるものである。なお、フレーム７には、現場で折曲されて壁本体５及び腰壁２６に取り付けられた際に、形成される勾配部７２の勾配面が前記階段の勾配と略平行となるように、予め工場にて箇所の側板に切り込み部が形成されているとともに、壁本体５の側端部上縁及び腰壁２６の側端面２６ｂの上縁に合わせる墨出しがマークされている。つまり、墨出しはそれぞれ立ち上がり部７１となる部位と、水平部７３となる部位のコ字状の本体を構成する両側板７ａに対向するようにマークされている。
【００３８】
このようなフレーム７を切り込み部に沿って折り曲げることで、立ち上がり部７１、勾配部７２及び水平部７３を形成する。なお、この折り曲げ方は、切り込み部に沿って折曲部分のフレーム７の上板７ｂを表面側に折曲することで折り目をつけた後、この折り目に沿って裏面側に折曲することが望ましい。そして上板７ｂを折曲するとともに切り込み部を挟んで対向する側板７ａどうしの端部を重ね合わせることで行われる。
【００３９】
そして、断面コ字状のフレーム７を下方に開口させるようにして、立ち上がり部７１や水平部７３を、それらの墨出しを壁本体５の側端部上縁や腰壁２６の側端面２６ｂの上縁に合わせて、それぞれ壁本体５の一側端部５１ａや腰壁２６の上端部２６ａに嵌合させるともに、ネジなどの止着部材にて固定する。なお、フレーム７の墨出しと壁本体５の側端部上縁や腰壁２６の側端面２６ｂの上縁とを合わせた状態で、勾配部７２の勾配が階段の勾配、ここでは直階段２の勾配と平行でない場合には、勾配部７２の勾配が直階段２の勾配と略平行となるように、立ち上がり部７１や水平部７３をそれぞれ壁本体５の側端部や腰壁２６の上端部に嵌合させた状態でスライドさせることで、フレーム７の取付高さを調節するとともに、折曲部分を介して勾配部７２の勾配を可変させることにより、勾配部７２の勾配が直階段２の勾配と略平行となる位置にしてそれぞれを固定する。なお、このフレーム７は２つの部材を突き合わせてなるものであり、突き合わせた部分を接合部材７７を両者に嵌合させることにより接合されている。また、立ち上がり部７１及び水平部７３はそれぞれの側板７ａに２本づつの全ネジのビス等の止着部材により、頭部が側板７ａの表面から突出しないように取り付ける。
【００４０】
次いで、フレーム７が壁本体５及び腰壁２６間に架設された状態で、図７に示すように、支持桟材９Ａ〜９Ｋを勾配部７２及び水平部７３と壁本体５の上面との間に取り付ける。
詳細には、支持桟材９Ａは、切欠部９１Ａが形成された面を階段側にして、立ち上がり部７１に沿って内嵌させるとともに、下端面を壁パネル５１の上面に当接させた状態で固定する。
【００４１】
また、支持桟材９Ｂ〜９Ｋは、それぞれ上端部を下方に開口するコ字状の勾配部７２や水平部７３の所定の箇所に嵌合させるとともに下面を所定の箇所の壁本体５の上面に当接させて鉛直方向に延在するように配置して、上端部では全ネジのビスなどの止着部材で、下部ではビスを斜め打ちすることで止着する。
なお、支持桟材９Ｃ，９Ｆ，９Ｈ，９Ｋはそれぞれ、段差部５ａ，５ｂ，５ｃを形成する壁パネル５２，５３，５４の側面や、腰壁２６の側端面に当接した状態で固定し、支持桟材９Ｃ，９Ｆ，９Ｈには、それぞれ支持桟材９Ｄ，９Ｇ，９Ｉが側面どうしを密着させた状態で一体的に接合する。
【００４２】
また、これら支持桟材９Ｂ〜９Ｋは上端部をそれぞれ勾配部７２に下方から嵌合させているので、勾配部７２の勾配に対応させてその嵌合深さを調節して止着し、勾配部７２を壁本体５に支持させることができる。つまり、勾配部７２に嵌合する支持桟材９Ｂ〜９Ｋの上端部で勾配部７２への嵌合深さを調節することで勾配部７２は、その勾配角度が調節されるようになっている。
【００４３】
そして、図８に示すように、直階段２の一側方で立設された支持桟材９Ａ〜９Ｃ間に下地合板３Ａを、それぞれの切欠部９１内に納めた状態で取り付ける。
また、支持桟材９Ｄ〜９Ｋ間に下地合板３Ｂを下地合板３Ａとで略一直線上となるように、それぞれの切欠部９１内に納めた状態で取り付ける。
このとき、下地合板３Ａ，３Ｂの延在方向を、直階段２の勾配若しくはフレーム７の勾配部７２の勾配に対応させるようにする。
【００４４】
そして、フレーム７、支持桟材９の階段側の面に、壁本体５における直階段２の上部分に延出される石膏ボード等の耐火材を覆うように止着材を介して取り付けることで階段用手摺壁を形成する。
その後、手摺部の手摺棒を支持するブラケットを止着部材を介して耐火材を貫通させることで下地合板３Ａ、３Ｂに取り付ける。なお、ブラケットは、壁本体５を構成する壁パネルの縦框材に取り付けてもよい。
このようにして階段勾配と略平行な勾配面を有する階段用手摺壁１は施工される。
【００４５】
上記階段用手摺壁１によれば、壁本体を構成する壁パネル５１〜５４と、これら壁パネル５１〜５４の上部に設けられる勾配壁部を有し、勾配壁部は、フレーム７と、フレーム７の勾配部７２及び水平部７３と壁パネル５１〜５４との間に設けられた支持桟材９と、これらフレーム７及び支持桟材９とを覆うように、取り付けられた面状耐火材８とを備え、面状耐火材８の裏面側で、支持桟材９間に渡って、該支持桟材９の切欠部９１内に、表面側から取り付けられる手摺を支持する下地合板３Ａ，３Ｂが設けられているので、手摺が取り付けられる階段用手摺壁を施工する際に、壁本体５とフレーム７との間に支持桟材９を設けた後で、且つ耐火材を設ける前に支持桟材９の切欠部９１内に、下地合板３Ａ，３Ｂを、その延在方向を階段勾配や、フレーム７の勾配部７２の勾配に対応させて取り付けることで、耐火材が取り付けられた後、耐火材の表面側から手摺を取り付ける際の下地を設けることができる。つまり、従来と異なり、取り付けられるべき手摺の延在方向に沿って、縦框材や縦桟材等の上下に延在する縦部材間、この実施の形態では支持桟材間毎に埋木を設ける必要がなく、容易に手摺取り付け用の下地を備えた階段用手摺壁１とすることができる。
【００４６】、
また、直階段２の勾配と略平行な勾配面が、長尺のフレーム７を折曲して、壁本体５の一側端部５１ａから上方に立ち上がる立ち上がり部７１の上端部から壁本体５の他側端部５４ｂ方向に向かって傾斜する勾配部７２の上面により構成されているので、フレーム７を折曲することで立ち上がり部７１に対する勾配部７２の折曲度合いを変化させ、勾配面となる勾配部７２の上面を所定の勾配に対応した勾配、つまり側方に配置される階段の勾配と略平行にして、支持桟材９Ｂ〜９Ｋを介して壁本体５に支持させることができる。従って、フレーム７を階段の勾配に合わせて折曲させて、壁本体５に取り付けるだけで、どのような勾配を有する階段の側方に設けられても、該階段の勾配に対応した勾配、つまり階段の勾配と略平行な勾配面を有するものとして容易に構築され、従来と異なり、階段の勾配に対応する勾配面を有する部材を勾配の異なる階段の数の分だけ用意する必要がなく、長尺のフレーム７を折曲するだけで階段の勾配に対応することができ、コストの低廉化をはかることができる。
【００４７】
さらに、断面コ字状の鋼製のフレーム７を折曲することでなる立ち上がり部７１は、下端部を壁本体５の一側端部５１ａに嵌合することで一側端部５１ａの延在方向に沿って取付られているので、勾配部７２に接続された立ち上がり部７１を壁本体５に取り付ける際に、立ち上がり部７１を壁本体５の一側端部５１ａに嵌合させて、該一側端部５１ａに沿って摺動させることができ、これにより、立ち上がり部７１の先端に接続された勾配部７２の高さを調節し、勾配部７２の勾配面の勾配を容易に階段の勾配と略平行な勾配とすることができる。
また、立ち上がり部７１は、その下端部で壁本体５の一側端部５１ａにその延在方向に沿って取付られているので、立ち上がり部７１が壁本体５の一側端部５１ａの延在方向に延出された状態で配置され、下方から勾配部７２の基端部分まで略一直線となる階段用手摺壁１の側端面を形成することができる。
【００４８】
上記階段用手摺壁１では、下地合板３Ａの下端部は、壁パネル５１の上面に当接するとともに立ち上がり部７１の内側にて支持桟材９Ａの切欠部９１Ａ内に設けられたものとしたがこれに限らず、下端部を支持桟９Ａに至らない箇所にて壁パネル５１の上面に当接させて固定したものとしてもよい。
この場合、図９に示すように、立ち上がり部７１のコ字状内に設けられる支持桟材９Ａには切欠部を形成する必要がない。
図９では、立ち上がり部７１の壁パネル５１の上面から立ち上がる長さを有し且つ切欠部が無い桟材９Ｐを立ち上がり部７１に内嵌させた状態を示している。
【００４９】
また、この立ち上がり部７１の壁パネル５１の上面からの立ち上がり高さが内嵌された桟材９Ｐより長い場合、図１０に示すように、桟材９Ｐが内嵌された立ち上がり部７１Ｂ内にて新たに桟材９Ｑを継ぎ足して、桟材９Ｐ及び立ち上がり部７１Ｂに固定し、立ち上がり部７１Ｂの上端部分近傍に、内部の桟材９Ｐの上端部が配置されるようにして、立ち上がり部７１Ｂを補強しても良い。なお、この桟材９Ｑには、下地合板３Ａの下端部が配置される切欠部が形成されていてもよい。
【００５０】
また、フレーム７の折曲部分の対向する両側板７ａには、先端が上板７ｂの側縁に至る切り込み部が形成され、この切り込み部の先端を結ぶ線に沿って上板７ｂを折曲することでフレーム７が折曲されているので、切り込み部に沿って上板７ｂを折曲するだけで立ち上がり部７１及び勾配部７２を容易に形成できるとともに、勾配部７２を立ち上がり部７１に対して容易に傾斜させることができる。
【００５１】
上記実施の形態では、階段用手摺壁の備える下地合板３を２つの下地合板３Ａ，３Ｂとしたが、これに限らず、１本の下地材若しくは３本以上の下地材から構成してもよい。
【００５２】
図１１及び図１２には階段用手摺壁の変形例を示す。なお、階段用手摺壁１の構成で説明した構成要素と同一のものには、同名称及び同符号を付して説明は省略する。
図１１及び図１２に示す階段用手摺壁１Ａは、直階段２の側方に直階段２に沿って接続され、壁パネル５６〜５９からなる壁本体５Ａと、壁本体５Ａの上端部に接続され、壁本体５Ａが接続された直階段２部分の踏み面より該踏み面の側方で上方に位置するとともに、階段勾配と略平行な勾配面となる上面６１Ａを有する勾配壁部６Ａと、これら壁本体５Ａの階段より上方部分及び勾配壁部６Ａの直階段２に面する部分に設けられ、表面に手摺４Ａが取り付けられた面状耐火材８Ａとを備える。
【００５３】
勾配壁部６Ａは、壁本体５Ａ、詳細には壁パネル５６の側端部５６ａの上端部に固定され、該上端部から上方に立ち上がる立ち上がり部７１、立ち上がり部７１の上端に接続され、壁本体５の一側端部５６ａから他側端部５９ｂ側に向かって上方に傾斜する勾配部７２Ａ、勾配部７２Ａの上端に接続され、略水平に延在する水平部７３Ａを構成する断面コ字状の鋼製フレーム７Ａと、このフレーム７Ａと壁本体５Ａとの間に設けられ、直階段２に沿って互いに所定間隔開けてそれぞれ上下方向に延在して配置される複数の支持桟材（縦部材）９０Ａ〜９０Ｌとを備える。
【００５４】
これら支持桟材９０Ａ〜９０Ｌは、支持桟材９Ａ〜９Ｋとほぼ同様の機能を有し、壁本体５Ａ上でフレーム７Ａを支持するとともに、支持桟材９０Ｂ〜９０Ｌには、面状耐火材８Ａの裏面が取り付けられている。これにより、支持桟材９０Ｂ〜９０Ｌは面状耐火材８Ａを支持している。
また、支持桟材９０Ｂ〜９０Ｌのそれぞれの面状耐火材８Ａ側の面には、面状耐火材８Ａ側に開口するとともに両側方に連通して切欠部９１０…が形成され、これら切欠部９１０内には、手摺４Ａが止着された長尺の下地合板（下地材）３Ｃが、面状耐火材８Ａの裏面側に配置され且つ支持桟材９０Ａ〜９０Ｌに渡って設けられている。なお、図１１（ｂ）は、図１１（ａ）における支持桟材９０Ｂ〜９０Ｌ、下地合板３Ｃ及び面状耐火材８Ａとの接合状態を示す一例として、支持桟材９０Ｅ、下地合板３Ｃ及び面状耐火材８Ａとの接合状態を示している。
【００５５】
さらに、立ち上がり部７１Ａには上述した支持桟材９Ａと同様の支持桟材９０Ａが設けられ、この支持桟材９０Ａには、支持桟材９Ａに形成された切欠部９１Ａと同様の切欠部９１０Ａが形成され、この切欠部９１０Ａと立ち上がり部７１Ａの側板７ａとで囲まれた空間内に、下地合板３Ｃの下端部が挿入され、この下端部は、壁パネル５６の上面に設けられた端材８４の鉛直側面に当接されるとともに、切欠部９１０Ａに固定されている。なお、支持桟材９０Ｂ〜９０Ｌの切欠部９１０は、支持桟材９Ｂ，９Ｃ，９Ｅ〜９Ｋにおける切欠部９１と、下地合板３Ｃは下地合板３Ａ，３Ｂとほぼ同様の構成であり、これらの作用効果も略同様であるので説明は省略する。
【００５６】
上記実施の形態における階段用手摺壁１、１Ａは、直階段２の側方に設けられるものとしたが、これに限らず、階段の側方に設けられて、階段に臨む表面に手摺が取り付けられるものであればどのようなものでもよく、例えば、折り返し階段を下階段及び上階段のそれぞれの側方に配置されるものとしてもよい。なお、この場合の階段用手摺壁の基本的な構成要素及び施工方法は階段用手摺壁１のそれらと同様である。
【００５７】
また、以上の実施の形態においては、勾配壁部の下部の壁本体として壁パネルとしたが、本発明はこれに限定されるものではなく、階段の側方に配置され、階段の勾配と略平行な勾配面を有するものであれば、どのような壁体に用いても良い。例えば、コンクリートの壁体の上部にフレーム７を折曲することで立ち上がり部及び勾配部を形成することで、前記コンクリート壁体の上部に、階段の勾配に対応した勾配面を有する勾配壁部を構築してもよい。
さらに、長尺のフレームを断面コ字状のものとしたが、これに限らず断面Ｕ字状、Ｃ字状のものとしてもよく、鋼製ものとしたがこれに限らず樹脂製のものとしてもよい。なお、ここでいう断面Ｃ字状のフレームとは、角筒部材の一面にスリットが形成された形状のものも含む。
また、フレームの長さは任意であるとともに、支持桟材も勾配部を壁本体に支持させるものであれば、いくつ備えたものとしてもよい。また、上階床部、腰壁等も任意であり、その他、具体的な壁本体や止着部材の形状等についても、適宜に変更可能であることは勿論である。
【００５８】
【発明の効果】
請求項１記載の発明によれば、表面に手摺が取り付けられる面材８を介して止着可能な前記下地材が、前記面材の裏面側に取り付けられた複数の縦部材の切欠部内に、前記複数の縦部材間に渡って配置されているので、前記複数の縦部材に面材を取り付ける前に、それぞれの切欠部内に前記下地材を取り付けるだけで、手摺が取り付け可能なものとして容易に形成される。
【００５９】
請求項２記載の発明によれば、請求項１記載の発明と同様の効果を得ることができるとともに、前記長尺の下地材が内部に取り付けられる切欠部の上下長さが、前記下地材の幅よりも大きいので、前記切欠部内にて前記下地材の延在方向を調節して所定の方向に延在するように設けることができる。
従って、前記下地材を前記切欠部内に、階段勾配に対応させた角度で、すなわち階段勾配と略平行な方向に延在させた状態で、前記面材の裏面側で前記複数の縦部材間に渡って設けることができ、これにより、手摺、特に連続手摺を階段の勾配に対応して前記面材を介して前記下地材に止着して取り付けることができる。
【００６０】
請求項３記載の発明によれば、請求項１または２記載の発明と同様の効果を得ることができるとともに、前記壁本体部の上端部に立設された前記複数の縦部材のそれぞれの上端部には、階段勾配に対応した勾配面を有する勾配部が架設され、前記複数の縦部材のそれぞれに、上端部から一定の間隔を開けた箇所に切欠部が形成されているので、切欠部は、前記勾配部の勾配面と略平行な線状に並べられた状態となり、これら切欠部内に下地材を前記複数の縦部材に渡って設けた際に、前記下地材の延在方向を、前記勾配部の勾配方向と略平行な方向とすることができ、これにより面材を介して止着される手摺を前記勾配部の勾配と略平行な方向に延在するように取り付けることができる。
【００６１】
請求項４記載の発明によれば、請求項３記載の発明と同様の効果を得ることができるとともに、壁本体部の一側端部から上方に立ち上がる立ち上がり部と前記勾配部とが下方に開口する断面コ字状の長尺材を折曲することで形成されてなり、前記縦部材の上端部は、前記勾配部に内嵌した状態で固定され、前記面材が、前記縦部材及び前記下地材とともに前記立ち上がり部及び前記勾配部を覆うように設けられているので、前記長尺材を折曲することで前記立ち上がり部に対する勾配部の折曲度合いを変化させ、勾配部の上面を所定の勾配に対応した勾配、つまり側方に配置される階段の勾配と略平行にして、縦部材を介して壁本体部に支持させることができる。従って、長尺材を階段の勾配に合わせて折曲させて、壁本体部に取り付けるだけで、どのような勾配を有する階段の側方に設けられても、該階段の勾配に対応した勾配、つまり階段の勾配と略平行な勾配面を有するものとして容易に構築されるものとなる。
【００６２】
請求項５記載の発明によれば、請求項４記載の発明と同様の効果を得ることができるとともに、下端部のコ字状内に前記壁本体部の一側端部を外嵌することで前記立ち上がり部は前記壁本体部に固定されるとともに、立ち上がり部の内部には、前記立ち上がり部を補強する補強芯材が前記壁本体部の上面に立設された状態で内嵌されているので、前記勾配部が接続された前記立ち上がり部の前記壁本体部の上面から上方に立ち上がる部分において前記補強芯材により補強された状態となり、階段用手摺壁自体において前記壁本体部の上部分の強度を向上させることができる。
【００６３】
請求項６記載の発明によれば、請求項５記載の発明と同様の効果を得ることができるとともに、前記補強芯材の切欠部には、前記下地材の一端部が、前記立ち上がり部のコ字状内で、且つ前記壁本体部の上面に当接した状態で設けられているので、前記壁本体部の上方において前記縦部材の切欠部内に設けられた前記下地材の一端部を納めることができる。これにより、前記立ち上がり部近傍においても、該立ち上がり部近傍に配置される前記下地材の一端部近傍の部位に、前記面材の表面側から取り付けられる手摺を止着することができる。
【図面の簡単な説明】
【図１】本発明を適用した一実施の形態の階段用手摺壁の構成を示す図であり、（ａ）は直階段の側方に配置された階段用手摺壁の全体構成を示す概略側面図、（ｂ）は、同階段用手摺壁の支持桟材９Ｂに手摺が取り付けられた状態を示す縦断面図である。
【図２】図１の階段用手摺壁の構成を示す図であり、（ａ）は階段用手摺壁の備える下地合板３Ａが支持桟材９Ｂに取り付けられた状態の要部を示す斜視図であり、（ｂ）は勾配部に支持桟材９Ｆと支持桟材９Ｇのそれぞれの上端部が内嵌された状態を示す図である。
【図３】支持桟材となる３種類の長さの桟材の斜視図である。
【図４】支持桟材の切欠部内に設けられた下地合板の勾配と勾配部の勾配との関係を示す図である。
【図５】図１の階段用手摺壁を施工する手順を示す図である。
【図６】図１の階段用手摺壁を施工する手順を示す図である。
【図７】図１の階段用手摺壁を施工する手順を示す図である。
【図８】図１の階段用手摺壁を施工する手順を示す図である。
【図９】立ち上がり部に内嵌されることで、立ち上がり部を補強する支持桟材の変形例を示す図である。
【図１０】立ち上がり部に内嵌されることで、立ち上がり部を補強する支持桟材の変形例を示す図である。
【図１１】本発明を適用した一実施の形態の階段用手摺壁の変形例の構成を示す図であり、（ａ）は直階段の側方に配置された変形例としての階段用手摺壁の全体構成を示す概略側面図、（ｂ）は、同階段用手摺壁の支持桟材９０Ｅに手摺が取り付けられた状態を示す縦断面図である。
【図１２】同階段用手摺壁において、下地合板３Ａが支持桟材９Ｂに取り付けられた状態の要部を示す斜視図である。
【符号の説明】
１，１Ａ      階段用手摺壁
２      直階段
３，３Ａ，３Ｂ，３Ｃ      下地合板（下地材）
３ａ      表面
４，４Ａ      手摺
７，７Ａ  フレーム（長尺材）
８，８Ａ      面状耐火材（面材）
９        支持桟材（縦部材）
９Ａ    支持桟材（補強芯材）
９Ｂ〜９Ｋ      支持桟材（縦部材）
９Ｐ，９Ｑ      桟材（補強芯材）
５１〜５９  壁パネル（壁本体部）
５１ａ，５６ａ      一側端部
５１ｂ      他側端部
５４ｂ，５９ｂ      他側端部
６１，６１Ａ      上面（勾配面）
７１，７１Ａ，７２Ｂ  立ち上がり部
７１ａ      下端部
７２，７２Ａ      勾配部
９０Ａ      支持桟材（補強芯材）
９０Ｂ〜９０Ｌ      支持桟材（縦部材）
９１，９１Ａ，９１０，９１０Ａ      切欠部
Ｌ      切欠部の上下長さ
Ｗ      下地材の幅
【図１】
2004169422.tif 000003
【図２】
2004169422.tif 000004
【図３】
2004169422.tif 000005
【図４】
2004169422.tif 000006
【図５】
2004169422.tif 000007
【図６】
2004169422.tif 000008
【図７】
2004169422.tif 000009
【図８】
2004169422.tif 000010
【図９】
2004169422.tif 000011
【図１０】
2004169422.tif 000012
【図１１】
2004169422.tif 000013
【図１２】
2004169422.tif 000014